(57)【特許請求の範囲】
【請求項１】
換気ファンを収納するとともに、内部に換気用通風路を形成する換気ファンケーシングを備え、
前記換気ファンケーシングには、排気口と複数の吸気口とが設けられ、
前記複数の吸気口のうちの特定のものが、その吸気口を開閉する回動式の板状体を備えた開閉式吸気口として構成されている換気装置であって、
前記板状体が、その開き姿勢において、前記換気ファンケーシングの内外にわたって前記開閉式吸気口を貫通するように回動自在に支持され、
前記開閉式吸気口が、上下方向に沿う開口部として構成され、かつ、前記板状体が、その上下方向の中間部を横軸心周りに回動自在に支持され、前記板状体に対して、その板状体を閉じ側に付勢するとともに閉じ姿勢においても閉じ側に付勢するモーメント付与部が、前記板状体を形成する板体の折り曲げにより形成され、
前記モーメント付与部が、前記横軸心方向視にて、前記板状体の前記横軸心よりも下側において、前記板状体を形成する板体の下側を前記板状体の開き側方向に折り曲げて形成されている換気装置。
【請求項２】
循環ファンと熱交換器とを備え、かつ、吸込口から前記循環ファンと前記熱交換器を通過して吹出口に至る循環用通風路を備えた循環通風式の暖房ユニットが設けられ、
その暖房ユニットのケーシングには、前記循環用通風路に連通する連通口が設けられていて、
前記暖房ユニットが、前記連通口を前記開閉式吸気口に連通させた状態で接続自在に構成されている請求項１に記載の換気装置。
【請求項３】
前記暖房ユニットが、浴室に対応して設けられ、
前記板状体を閉じ姿勢に吸着保持する電磁石が、その閉じ姿勢にある前記板状体よりも前記換気ファンケーシングの内部側に設けられている請求項２に記載の換気装置。
【発明の詳細な説明】
【０００１】
【発明の属する技術分野】
本発明は、換気ファンを収納するとともに、内部に換気用通風路を形成する換気ファンケーシングを備え、前記換気ファンケーシングには、排気口と複数の吸気口とが設けられ、前記複数の吸気口のうちの特定のものが、その吸気口を開閉する回動式の板状体を備えた開閉式吸気口として構成されている換気装置に関する。
【０００２】
【従来の技術】
このような構成の換気装置は、例えば、浴室暖房乾燥機などに組み付けられて用いられ、回動式の板状体を備えた開閉式吸気口を浴室に連通させ、他の吸気口を脱衣室などに連通させて、換気ファンの作動によって浴室や脱衣室の換気を行うために使用される。
【０００３】
そして、従来、開閉式吸気口に設けられる回動式の板状体が、平坦な板体で形成されていて、その平坦な板体からなる板状体が、その上端部を横軸心周りに回動自在に支持された状態で開閉式吸気口に取り付けられていた。
【０００４】
【発明が解決しようとする課題】
したがって、上述した従来構造のものでは、前記板状体を開き姿勢にして開閉式吸気口を開く場合、その板状体を上端部に位置する横軸心周りに回動させることになり、開閉式吸気口を全開にしようとすると、前記横軸心方向視において、板状体の下端部が前記横軸心から大きく離れた横方向に位置するまで大きく回動させる必要がある。
しかし、通常、このような換気装置では、前記板状体を大きく回動させて、開閉式吸気口を全開にするだけの空間的な余裕がないため、前記板状体を上述した全開位置にまで回動させずに、その手前で回動を停止させた半開きの状態で使用しており、そのため、開閉式吸気口の開口面積の割には、全開時における通風面積が小さくなって、通風時の圧力損失が大きくなるなどの欠点があった。
【０００５】
本発明は、このような従来構造の欠点を解消するもので、その目的は、比較的小さな空間を利用して、板状体の回動により開閉式吸気口をほぼ全開にすることができ、通風時の圧力損失を抑制することが可能な換気装置の提供にある。
【０００６】
【課題を解決するための手段】
この目的を達成するため、請求項１に記載の発明によれば、換気ファンを収納するとともに、内部に換気用通風路を形成する換気ファンケーシングを備え、前記換気ファンケーシングには、排気口と複数の吸気口とが設けられ、前記複数の吸気口のうちの特定のものが、その吸気口を開閉する回動式の板状体を備えた開閉式吸気口として構成されている換気装置であって、前記板状体が、その開き姿勢において、前記換気ファンケーシングの内外にわたって前記開閉式吸気口を貫通するように回動自在に支持されている。
【０００７】
つまり、板状体の開き姿勢において、その板状体が、換気ファンケーシングの内外にわたって開閉式吸気口を貫通するように回動自在に支持されているので、板状体の一部が換気ファンケーシング内に位置するだけで、開閉式吸気口をほぼ全開状態にすることもできる。
したがって、換気ファンケーシング内に比較的小さな空間を設けて、換気装置全体をコンパクトに構成できるにもかかわらず、開閉式吸気口をほぼ全開にして通風時の圧力損失を抑制することができる。
【０００８】
又、請求項１に記載の発明によれば、前記開閉式吸気口が、上下方向に沿う開口部として構成され、かつ、前記板状体が、その上下方向の中間部を横軸心周りに回動自在に支持され、前記板状体に対して、その板状体を閉じ側に付勢するとともに閉じ姿勢においても閉じ側に付勢するモーメント付与部が、前記板状体を形成する板体の折り曲げにより形成されている。
【０００９】
したがって、回動式の板状体を形成する板体を折り曲げるだけで、その板状体に対して、板状体を閉じ側に付勢するモーメントを付与することができ、しかも、そのモーメントは、板状体が閉じ姿勢にあっても閉じ側に作用するので、板状体による開閉式吸気口の閉鎖が確実なものとなる。
特に、換気ファンケーシングに収納された換気ファンによる吸引作用で前記板状体を開き姿勢にし、板状体の自重によって板状体を閉じ姿勢にするように構成する場合には、板状体を開閉するためのアクチュエータが不要になるばかりか、特別なアクチュエータを用いずに開閉式吸気口を確実に閉じることができる。
【００１０】
又、請求項１に記載の発明によれば、前記モーメント付与部が、前記横軸心方向視にて、前記板状体の前記横軸心よりも下側において、前記板状体を形成する板体の下側を前記板状体の開き側方向に折り曲げて形成されている。
【００１１】
したがって、板状体を形成する板体の下側を板状体の開き側方向に折り曲げるだけの簡単な構成で、上述したように、板状体に対して必要なモーメントを作用させることができ、換気装置のコストダウンにも寄与することになる。
【００１２】
請求項２に記載の発明によれば、循環ファンと熱交換器とを備え、かつ、吸込口から前記循環ファンと前記熱交換器を通過して吹出口に至る循環用通風路を備えた循環通風式の暖房ユニットが設けられ、その暖房ユニットのケーシングには、前記循環用通風路に連通する連通口が設けられていて、前記暖房ユニットが、前記連通口を前記開閉式吸気口に連通させた状態で接続自在に構成されている。
【００１３】
したがって、上述した換気装置に対して暖房ユニットを接続し、かつ、暖房ユニットの吸込口と吹出口とを脱衣室やトイレなどに連通させることにより、暖房ユニットの循環ファンと熱交換器を利用して、脱衣室やトイレを暖房したり、また、その暖房中において、脱衣室やトイレの空気の一部を換気装置により換気することもできる。
【００１４】
請求項３に記載の発明によれば、前記暖房ユニットが、浴室に対応して設けられ、前記板状体を閉じ姿勢に吸着保持する電磁石が、その閉じ姿勢にある前記板状体よりも前記換気ファンケーシングの内部側に設けられている。
【００１５】
つまり、暖房ユニットが浴室に対応して設けられているので、上述したように、循環ファンと熱交換器を利用して浴室を暖房したり、換気したりすることができるとともに、板状体の自重によって板状体を閉じ姿勢にするように構成した場合においても、電磁石による吸着保持で板状体を確実に閉じ姿勢に保持することができる。
そして、その電磁石は、閉じ姿勢にある板状体よりも換気ファンケーシングの内部側に設けられているので、板状体が閉じ姿勢にある限り、電磁石が湿気の多い浴室内の空気に晒されることもなく、電磁石の耐久性も向上する。
【００１６】
【発明の実施の形態】
本発明による換気装置を浴室暖房乾燥機に適用した実施の形態につき図面に基づいて説明する。
この浴室暖房乾燥機は、図１〜図６に示すように、換気ユニットＭ１と循環通風式の浴室暖房ユニットＭ２とを備え、浴室ＢＲの天井裏に設置される装置本体Ｍと、その換気ユニットＭ１と浴室暖房ユニットＭ２の各種制御を司る制御部Ｈと、その制御部Ｈに対して各種運転情報を指令する図外のメインリモコンやサブリモコンなどを備えて構成されている。
【００１７】
浴室暖房ユニットＭ２は、下方側が開口し、一側面に換気空気排出用の連通口２を備えたケーシング１と、吸込口３と吹出口４とを備え、かつ、浴室ＢＲ側からケーシング１の下方開口部を閉じるように着脱自在に構成されたグリル板５とを備え、ケーシング１の内部には、吸込口３と吹出口４とを接続する循環用通風路６が区画形成されている。
その循環用通風路６内には、吸込口３から浴室ＢＲ内の空気を吸引して、吹出口４から浴室ＢＲ内に吹出して循環させる循環ファン７と、循環用通風路６を通流する空気を加熱する熱交換器８とが設けられている。
【００１８】
前記循環ファン７と熱交換器８とは、循環ファン７を循環用通風路６の上流側に、熱交換器８を下流側に位置させた状態で配設され、その循環用通風路６のうちの熱交換器８よりも下流側に前記連通口２が連通されている。
前記熱交換器８には、図外の外部熱源機からの温水を循環供給するための温水循環路９が接続され、その温水循環路９には、熱交換器８への温水の供給を断続する熱動弁１０が設けられていて、浴室暖房ユニットＭ２全体が、そのケーシング１に取り付けられた複数のブラケット１１と吊りボルト１２とによって浴室ＢＲの天井裏に吊り下げ支持されている。
【００１９】
前記換気ユニットＭ１は、図７及び図８に示すように、上方が開口したコの字状の下枠１３と、その下枠１３に対して着脱自在に構成された天板１４、前板１５、ならびに、背板１６などで構成される換気ファンケーシング１７を備え、その換気ファンケーシング１７を構成する下枠１３の一面には、吸気ダクトＫＤを介して脱衣室ＤＲとトイレＴＲの天井部に設けられた吸込みグリル１８から、脱衣室ＤＲとトイレＴＲの空気を吸引するために、上下方向に沿って開口された２個の他室用の吸気口１９が設けられ、その吸気口１９に連通する取り付け用のダクト２０が外方に向けて延設されている。
前記下枠１３の他面には、上下方向に沿って開口された排気口２１が設けられ、この排気口２１にも外方に向けて延びる取り付け用のダクト２２が設けられている。
【００２０】
更に、換気ファンケーシング１７を構成する前板１５にも、浴室暖房ユニットＭ２を介して浴室ＢＲ内の空気を吸引するために、上下方向に沿って開口された吸気口２３が設けられていて、換気ファンケーシング１７には、合計３個の吸気口１９，２３と１個の排気口２１とが設けられている。
換気ファンケーシング１７を構成する天板１４には、換気ファン２４が取り付けられて、換気ファンケーシング１７内に収納され、その換気ファン２４が、換気ファンケーシング１７内に合計３個の吸気口１９，２３から空気を吸引して排気口２１に排出する換気用通風路２５を形成するとともに、その空気を排気口２１のダクト２２に連通された排気ダクトＨＤを介して外部に排気するように構成されている。
【００２１】
前記換気ファンケーシング１７の前板１５は、その吸気口２３を浴室暖房ユニットＭ２のケーシング１に設けられた連通口２に合致させて連通した状態で、複数のビスとブラケット２６を介してケーシング１に取り付けられている。
前板１５に設けられた吸気口２３の上縁には、浴室暖房ユニットＭ２のケーシング１側に延出する舌片２７が設けられていて、図９〜図１１に示すように、その舌片２７に対して長方形の保持枠２８が複数のビス２９により着脱自在に取り付けられ、その保持枠２８に合成樹脂製の回動式の板状体３０が取り付けられて、その板状体３０の回動によって吸気口２３を開閉するように構成されている。
つまり、浴室ＢＲ内の空気を吸引する吸気口２３には、その吸気口２３を開閉する板状体３０が設けられていて、その浴室ＢＲ内の空気を吸引する吸気口２３が、開閉式吸気口に構成されている。
【００２２】
前記板状体３０には、その左右の縁から貫通孔３１ａを備えた取り付け片３１が一体的に延設され、その両取り付け片３１の貫通孔３１ａ内に金属製の取り付け軸３２の両端部を貫通させ、かつ、その両端部を保持枠２８の左右内側に穿設された取り付け孔２８ａ内に挿入することにより、板状体３０が、その上下方向の中間部、具体的には、上下方向の中央よりも若干上方に寄った位置で取り付け軸３２の軸心、つまり、横軸心Ｌ周りに回動自在な状態で、保持枠２８を介して開閉式吸気口２３に取り付け支持されている。
その取り付け軸３２は、その長手方向の中央部がＶ字状に突出するように構成され、両端部を互いに近づける側に押圧することにより、Ｖ字状の変形で全長が短くなり、押圧力の解除によって元の長さに弾性復帰するように構成されていて、それによって、前記板状体３０を保持枠２８に取り付けたり、保持枠２８から取り外したりできるように構成されている。
【００２３】
前記板状体３０を保持枠２８に取り付けた状態において、前記横軸心Ｌに沿う方向視にて、その板状体３０を形成する板体の下側部、つまり、前記横軸心Ｌよりも下側の部分が、換気ファンケーシング１７の内側に向けて折り曲げられ、かつ、板状体３０の上端近くには、磁気吸着部材３３が取り付けられていて、保持枠２８には、磁気吸着部材３３に対応する状態で、板状体３０を閉じ姿勢に吸着保持するための電磁石３４が取り付けられている。
【００２４】
すなわち、前記板状体３０は、換気ファンケーシング１７の内側に向けて折り曲げられた折り曲げ部３５の重み、つまり、偏心した荷重によって、電磁石３４により磁気吸着部材３３が吸着される閉じ側に回動するように付勢されており、電磁石３４により磁気吸着部材３３が吸着された閉じ姿勢においても、更に閉じ側に付勢されている。
つまり、板状体３０の下側の折り曲げ部３５が、板状体３０を閉じ側に付勢するとともに閉じ姿勢においても閉じ側に付勢するモーメント付与部として作用するように構成され、かつ、板状体３０が閉じた状態で、電磁石３４が、板状体３０よりも換気ファンケーシング１７の内部側に位置するように構成されている。
【００２５】
前記換気ファンケーシング１７を構成する下枠１３の前方側の左右両端部には、上端に係合部３６ａを備えたブラケット３６が取り付けられ、かつ、そのブラケット３６には、上方が小径で下方が大径の異径孔３６ｂと円形孔３６ｃとが設けられている。
そして、ブラケット３６の係合部３６ａを前板１５の上端縁に係合させ、かつ、ブラケット３６の異径孔３６ｂと円形孔３６ｃとにビス３７を挿入して前板１５に螺合することにより、換気ユニットＭ１の換気ファンケーシング１７が、浴室暖房ユニットＭ２のケーシング１に対して片持ち姿勢で取り付けられるように構成されている。
【００２６】
このように換気ユニットＭ１を浴室暖房ユニットＭ２に取り付けた状態では、換気ファンケーシング１７の前板１５から延出する舌片２７が、浴室暖房ユニットＭ２のケーシング１に設けられた連通口２内に位置し、舌片２７の下面に取り付けられた保持枠２８も、連通口２内に位置することになる。
したがって、グリル板５を取り外すと、前記保持枠２８は、浴室暖房ユニットＭ２のケーシング１内に露出することになる。その状態で、板状体３０を取り付けている取り付け軸３２は、前記ケーシング１側に位置するように構成されているので、例えば、板状体３０が損傷して、新たな板状体３０と取り換えるような場合、グリル板５を取り外すだけで、ケーシング１側から簡単に取り換え作業を行うことができる。
更に、舌片２７に対する保持枠２８の取り付けは、複数のビス２９を下方から挿入して螺合するように構成されているので、グリル板５を取り外すことにより、保持枠２８の着脱もケーシング１側から簡単に行うことができ、保持枠２８に取り付けられた電磁石３４の取り換え作業も容易に行うことができる。
【００２７】
以上の構成からなる浴室暖房乾燥機においては、浴室ＢＲを乾燥する乾燥運転モード、浴室ＢＲの空気を循環させる涼風運転モード、浴室ＢＲを暖房する暖房運転モードに加えて、浴室ＢＲ、脱衣室ＤＲ及びトイレＴＲを通常換気量にて換気する通常換気量運転モード、浴室ＢＲの換気を停止した状態で脱衣室ＤＲ及びトイレＴＲを前記通常換気量にて換気する浴室切状態の通常換気モード、浴室ＢＲ、脱衣室ＤＲ及びトイレＴＲを通常換気量よりも少ない少換気量にて換気する２４時間換気モード、浴室ＢＲの換気を停止した状態で脱衣室ＤＲ及びトイレＴＲを前記少換気量にて換気する浴室切状態の２４時間換気モードなどの各種の運転が可能となる。
【００２８】
例えば、図外のメインリモコンによって２４時間換気モードの実行が指令されると、電磁石３４を非通電状態にした状態で、換気ファン２４が、少通風量となる回転数にて作動される。
すると、図３に示すように、換気ファン２４の吸気作用によって板状体３０が開き側に吸引され、横軸心Ｌ周りに回動されて開き姿勢となる。この開き姿勢においては、板状体３０が、換気ファンケーシング１７の内外にわたって開閉式吸気口２３を貫通するように横向き姿勢になって、開閉式吸気口２３が開かれるので、浴室ＢＲ、脱衣室ＤＲ及びトイレＴＲが少換気量にて換気される。そして、浴室ＢＲ、脱衣室ＤＲ及びトイレＴＲの扉などに換気用の通風口を設けておくことにより、浴室ＢＲ、脱衣室ＤＲ及びトイレＴＲを介して、住宅全体の換気も可能となる。
【００２９】
メインリモコンによって浴室切状態の２４時間換気モードの実行が指令されると、電磁石３４を通電状態として、板状体３０を閉じ姿勢に吸着保持した状態で、換気ファン２４が、少通風量となる回転数にて作動される。
すると、図２に示すように、板状体３０により開閉式吸気口２３が閉じられて、浴室ＢＲの換気を停止した状態で、脱衣室ＤＲ及びトイレＴＲが少換気量にて換気される。
【００３０】
メインリモコンによって通常換気量運転モードが指令されると、電磁石３４を非通電状態にした状態で、換気ファン２４が、前記少通風量よりも多い通常通風量となる回転数にて作動される。
すると、換気ファン３４の吸気作用により板状体３０が横向き姿勢になって、開閉式吸気口２３が開かれるので、浴室ＢＲ、脱衣室ＤＲ及びトイレＴＲが前記少換気量よりも多いに通常換気量にて換気される。
【００３１】
トイレＴＲに設けられた図外のサブリモコンによって浴室切状態の通常換気モードの実行が指令されると、電磁石３４を通電状態として、板状体３０を閉じ姿勢に吸着保持した状態で、換気ファン２４が、通常通風量となる回転数にて作動される。
すると、板状体３０により開閉式吸気口２３が閉じられて、浴室ＢＲの換気を停止した状態で、脱衣室ＤＲ及びトイレＴＲが換気され、浴室ＢＲが換気されない分、脱衣室ＤＲ及びトイレＴＲの換気量を前記通常換気量よりも多くすることができる。
【００３２】
メインリモコンによって乾燥運転モードが指令されると、電磁石３４を非通電状態にした状態で、換気ファン２４が、前記通常通風量となる回転数にて作動され、かつ、熱動弁１０が開弁されて、循環ファン７が作動される。そして、浴室暖房ユニットＭ２に組み込まれた温度センサの検出温度に基づいて、検出温度が加熱停止用設定温度（例えば、５０°Ｃ）以上になると、熱動弁１０が閉弁されて熱交換器８に対する温水の供給が停止され、検出温度が加熱用設定温度（例えば、４０°Ｃ）以下になると、熱動弁１０が開弁されて熱交換器８への温水の循環が再開される。
その際、換気ファン２４の吸気作用により板状体３０が横向き姿勢になって、開閉式吸気口２３が開かれるので、吸込口３を通じて浴室ＢＲから吸引された空気は、循環用通風路６に配設された熱交換器８により加熱された後、吹出口４から浴室ＢＲ内に吹出されて循環され、循環用通風路６を通流する空気の一部が、開閉式吸気口２３から外部に排出されるとともに、脱衣室ＤＲ及びトイレＴＲも換気される。
【００３３】
メインリモコンによって涼風運転モードが指令されると、電磁石３４を非通電状態にした状態で、換気ファン２４が、前記通常通風量となる回転数にて作動され、かつ、循環ファン７も作動される。
すると、換気ファン２４の吸気作用により板状体３０が横向き姿勢になって、開閉式吸気口２３が開かれるので、吸込口３を通じて浴室ＢＲから吸引された空気は、熱交換器８により加熱されることなく、その一部が、開閉式吸気口２３から外部に排出されるとともに、脱衣室ＤＲ及びトイレＴＲも換気される。
【００３４】
メインリモコンによって暖房運転モードが指令されると、電磁石３４を通電状態として、板状体３０を閉じ姿勢に吸着保持した状態で、換気ファン２４が、前記少通風量となる回転数にて作動され、かつ、熱動弁１０が開弁されて、循環ファン７が作動される。そして、乾燥運転モードと同様に、温度センサの検出温度に基づいて、検出温度が加熱停止用設定温度以上になると、熱動弁１０が閉弁されて熱交換器８に対する温水の供給が停止され、検出温度が加熱用設定温度以下になると、熱動弁１０が開弁されて熱交換器８への温水の循環が再開される。
その際、板状体３０によって開閉式吸気口２３が閉じられているので、吸込口３を通じて浴室ＢＲから吸引された空気は、全て循環用通風路６に配設された熱交換器８により加熱された後、吹出口４から浴室ＢＲ内に吹出されて循環され、同時に、脱衣室ＤＲ及びトイレＴＲが換気される。
【００３５】
〔別実施形態〕
（１）先の実施形態では、板状体３０の下側を板状体３０の開き側に折り曲げて、その折り曲げ部によってモーメント付与部３５を構成した例を示したが、モーメント付与部３５としては、種々の変形が可能である。
例えば、図１２に示すように、板状体３０の下側において、その両縁を板状体３０の開き側に折り曲げて延出片３８を設け、その延出片３８によりモーメント付与部を構成することもでき、その他、板状体３０とは別体に構成した重りなどを板状体３０の下側に連設してモーメント付与部を構成することもできる。
【００３６】
（２）これまでの実施形態では、板状体３０を横軸心Ｌ周りに回動自在に構成し、かつ、換気ファン２４による吸引作用と板状体３０の自重とによって開閉する構成を示したが、板状体３０を縦軸心周りに回動自在に構成し、かつ、電動モータなどのアクチュエータによって開閉操作するように構成したり、あるいは、スプリングにより閉じ姿勢側に付勢しておいて、換気ファン２４による吸引作用とスプリングの付勢力とによって開閉するように構成することもできる。
更に、板状体３０を斜め方向に沿う軸心周りに回動自在に構成して、換気ファン２４による吸引作用と板状体３０の自重とによって開閉するように構成することもできる。
【００３７】
（３）これまでの実施形態では、換気ユニットＭ１と浴室暖房ユニットＭ２とを一体的に組み付けて浴室暖房乾燥機を構成した例を示したが、換気ユニットＭ１のみを単独で使用して、浴室ＢＲ、脱衣室ＤＲ、トイレＴＲは勿論のこと、それ以外の各種部屋などの換気専用として使用することもできる。
【００３８】
（４）これまでの実施形態では、板状体３０を閉じ姿勢に吸着保持する電磁石３４を設けた例を示したが、電磁石３４をなくして、上述したモーメント付与部３５，３８による付勢力のみで閉じ姿勢に保持するように構成することもでき、また、電磁石３４を使用する場合、必ずしも、その電磁石３４を閉じ姿勢にある板状体３０よりも換気ファンケーシング１７の内部側に設ける必要はない。
【図面の簡単な説明】
【図１】浴室暖房乾燥機の全体を示す概略平面図
【図２】浴室暖房乾燥機による浴室切状態の２４時間換気モード実行時の通風状態を示す側面図
【図３】浴室暖房乾燥機による２４時間換気モード実行時の通風状態を示す側面図
【図４】浴室暖房乾燥機の背面図
【図５】浴室暖房乾燥機の底面図
【図６】浴室暖房乾燥機の斜視図
【図７】換気ユニットの分解図
【図８】換気ユニットの分解図
【図９】換気ユニットの要部の分解図
【図１０】換気ユニットの要部の断面図
【図１１】換気ユニットの要部の正面図
【図１２】別の実施形態を示す板状体の斜視図
【符号の説明】
１            暖房ユニットのケーシング
２            連通口
３            吸込口
４            吹出口
６            循環用通風路
７            循環ファン
８            熱交換器
１７          換気ファンケーシング
１９          吸気口
２１          排気口
２３          開閉式吸気口
２４          換気ファン
２５          換気用通風路
３０          板状体
３４          電磁石
３５，３８    モーメント付与部
ＢＲ          浴室
Ｌ            横軸心
Ｍ２          暖房ユニット
【図１】
0003693525.tif 000002
【図２】
0003693525.tif 000003
【図３】
0003693525.tif 000004
【図４】
0003693525.tif 000005
【図５】
0003693525.tif 000006
【図６】
0003693525.tif 000007
【図７】
0003693525.tif 000008
【図８】
0003693525.tif 000009
【図９】
0003693525.tif 000010
【図１０】
0003693525.tif 000011
【図１１】
0003693525.tif 000012
【図１２】
0003693525.tif 000013